(57)【要約】【課題】干渉模様の発生が確実に防止され、太陽電池の故障・損傷が生じにくい太陽電池を備えた時計（ソーラー時計）を提供すること。【解決手段】本発明の時計１００は、時計用文字板１０と、太陽電池９４と、ギャップ材９５１を含み、時計用文字板１０と太陽電池９４との間に配されたフィルム状のギャップ層９５とを有することを特徴とする。ギャップ材９５１は、球状または円柱状をなすものであるのが好ましい。また、ギャップ材９５１は、シリカで構成されたものであるのが好ましく、ギャップ層９５は、染料を含むものであるのが好ましい。【選択図】図１
2011163843.tif 000002
【特許請求の範囲】
【請求項１】
時計用文字板と、
太陽電池と、
ギャップ材を含み、前記時計用文字板と前記太陽電池との間に配されたフィルム状のギャップ層とを有することを特徴とする時計。
【請求項２】
前記ギャップ材は、球状または円柱状をなすものである請求項１に記載の時計。
【請求項３】
前記ギャップ層は、前記ギャップ材が液状の分散媒に分散した分散液を用いて形成されたものである請求項１または２に記載の時計。
【請求項４】
前記ギャップ層の外周に設けられたシール部材により、前記ギャップ材が封止されている請求項１ないし３のいずれかに記載の時計。
【請求項５】
前記ギャップ層は、前記ギャップ材が粘着剤で構成された固定相に分散した構成を有するものである請求項１ないし４のいずれかに記載の時計。
【請求項６】
前記ギャップ材は、シリカで構成されたものである請求項１ないし５のいずれかに記載の時計。
【請求項７】
前記ギャップ層は、着色剤を含むものである請求項１ないし６のいずれかに記載の時計。
【請求項８】
前記着色剤は、染料である請求項７に記載の時計。
【発明の詳細な説明】
【技術分野】
【０００１】
本発明は、時計に関する。
【背景技術】
【０００２】
メンテナンスの容易性や、省資源、省資源の観点から、太陽電池を備えた時計（ソーラー時計）の評価が高まっている。
このような時計においては、時計全体としての、美的外観を確保するため、通常、太陽電池は、光透過性を有する文字板（時計用文字板）の背面側に配されている（例えば、特許文献１参照）。また、一般に、ソーラー時計においては、薄型化等を図るために、時計用文字板と太陽電池とが近接するようにして配置される。また、ケースに設けられた段差部等を利用して、太陽電池と文字板とが離間するようにする構成にすることがある。
上記のような構成の時計においては、以下のような問題を生じる。
【０００３】
すなわち、太陽電池は、比較的大きな反りを生じることがあるため、太陽電池と文字板とが離間するように配置されている場合、時計の動きにより、時計用文字板と太陽電池とが衝突を繰り返し、太陽電池に傷がつき、故障の原因になることがある。
また、時計用文字板と太陽電池とが近接するようにして配置されていると、干渉模様を生じることがあるが、太陽電池は一般に能色を呈しているため、前記干渉模様は、非常に目立つものとなり、時計全体としての外観に大きな悪影響を与える。
【先行技術文献】
【特許文献】
【０００４】
【特許文献１】特開平１０−０９３０４８号公報
【発明の概要】
【発明が解決しようとする課題】
【０００５】
本発明の目的は、干渉模様の発生が確実に防止され、太陽電池の故障・損傷が生じにくい太陽電池を備えた時計（ソーラー時計）を提供することにある。
【課題を解決するための手段】
【０００６】
このような目的は、下記の本発明により達成される。
本発明の時計は、時計用文字板と、
太陽電池と、
ギャップ材を含み、前記時計用文字板と前記太陽電池との間に配されたフィルム状のギャップ層とを有することを特徴とする。
これにより、干渉模様の発生が確実に防止され、太陽電池の故障・損傷が生じにくい太陽電池を備えた時計（ソーラー時計）を提供することにある。
【０００７】
本発明の時計では、前記ギャップ材は、球状または円柱状をなすものであることが好ましい。
これにより、各部位での時計用文字板と太陽電池とのギャップを、より均一性の高いものとすることができ、干渉模様の発生をより確実に防止することができる。また、太陽電池の故障・損傷をより生じにくいものとすることができる。
【０００８】
本発明の時計では、前記ギャップ層は、前記ギャップ材が液状の分散媒に分散した分散液を用いて形成されたものであることが好ましい。
これにより、各部位での時計用文字板と太陽電池とのギャップを、より均一性の高いものとすることができ、干渉模様の発生をより確実に防止することができる。また、太陽電池の故障・損傷をより生じにくいものとすることができる。また、時計の生産性を特に優れたものとすることができる。
【０００９】
本発明の時計では、前記ギャップ層の外周に設けられたシール部材により、前記ギャップ材が封止されていることが好ましい。
これにより、ギャップ材がギャップ層から脱落することをより確実に防止することができ、時計の信頼性を特に優れたものとすることができる。
本発明の時計では、前記ギャップ層は、前記ギャップ材が粘着剤で構成された固定相に分散した構成を有するものであることが好ましい。
これにより、ギャップ層を構成するギャップ材を所望の部位により確実に配置させることができるとともに、ギャップ層がクッション層として機能するため、太陽電池の損傷等をより確実に防止することができ、時計の信頼性を特に優れたものとすることができる。
【００１０】
本発明の時計では、前記ギャップ材は、シリカで構成されたものであることが好ましい。
これにより、時計の美的外観を特に優れたものとすることができる。
本発明の時計では、前記ギャップ層は、着色剤を含むものであることが好ましい。
これにより、時計の美的外観を特に優れたものとすることができる。
本発明の時計では、前記着色剤は、染料であることが好ましい。
これにより、時計の美的外観を特に優れたものとすることができる。
【発明の効果】
【００１１】
本発明によれば、干渉模様の発生が確実に防止され、太陽電池の故障・損傷が生じにくい太陽電池を備えた時計（ソーラー時計）を提供することができる。
【図面の簡単な説明】
【００１２】
【図１】本発明の時計（腕時計）の好適な実施形態を示す断面図である。
【発明を実施するための形態】
【００１３】
以下、本発明の好適な実施形態について、添付図面を参照しつつ説明する。なお、本明細書で参照する図面は、構成の一部を強調して示したものであり、実際の寸法等を正確に反映したものではない。
図１は、本発明の時計（腕時計）の好適な実施形態を示す断面図である。以下の説明では、図１中の上側を「上側」、図１中の下側を「下側」という。
【００１４】
図１に示すように、本実施形態のソーラー時計としての腕時計（携帯時計）１００は、胴（ケース）８２と、裏蓋８３と、ベゼル（縁）８４と、ガラス板（カバーガラス）８５とを備えている。また、ケース８２内には、ガラス板（カバーガラス）８５が設けられた側から順に、光透過性を有する時計用文字板１０と、太陽電池９４と、ムーブメント８１とが収納されており、さらに、図示しない針（指針）等が収納されている。
【００１５】
時計用文字板１０と太陽電池９４との間には、ギャップ材９５１を含むフィルム状のギャップ層９５が配されており、太陽電池９４は、その一方の面全体が、ギャップ層９５と接触している。このように、時計用文字板１０と太陽電池９４との間にギャップ層９５が配されることにより、時計用文字板と太陽電池との間での干渉模様の発生が確実に防止され、時計全体としての美的外観に悪影響が及ぶことを確実に防止することができる。また、時計用文字板との衝突による、太陽電池の損傷・故障を効果的に防止することができる。
【００１６】
ギャップ層９５中に含まれるギャップ材９５１は、時計用文字板１０と太陽電池９４とのギャップを均一に保たせる機能を有するものであればいかなる形状を有するものであってもよいが、球状または円柱状をなすものであるのが好ましい。これにより、太陽電池９４の面上の各部位での時計用文字板１０と太陽電池９４とのギャップを、より均一性の高いものとすることができ、干渉模様の発生をより確実に防止することができる。また、太陽電池９４の故障・損傷をより生じにくいものとすることができる。
【００１７】
ギャップ材９５１が球状または円柱状をなすものである場合、その直径（平均値）は、１．０μｍ以上１０μｍ以下であるのが好ましく、１．５μｍ以上９．０μｍ以下であるのがより好ましい。これにより、干渉模様の発生等をより確実に防止しつつ、腕時計（時計）１００全体のさらなる薄型化を図ることができる。
ギャップ層９５を平面視した際のギャップ材９５１の存在密度（単位面積当たりの存在個数）は、０．１０×１０６個／ｍｍ２以上９．０×１０６個／ｍｍ２以下であるのが好ましく、０．１３×１０６個／ｍｍ２以上５．８×１０６個／ｍｍ２以下であるのがより好ましい。
【００１８】
これにより、太陽電池に到達する光量を十分に高いものとしつつ、ギャップ層９５の機能をより効果的に発揮させることができる。これに対し、ギャップ材９５１の存在密度が低すぎると、ギャップ層９５の機能を確実に発揮させることが困難になる可能性がある。一方、ギャップ材９５１の存在密度が高すぎると、時計用文字板１０の構成等によっては、太陽電池に到達する光量を十分に高いものとするのが困難となり、太陽電池における発電量を十分に確保するのが困難になる可能性がある。
【００１９】
ギャップ層９５中におけるギャップ材９５１の含有率は、２０ｖｏｌ％以上９０ｖｏｌ％以下であるのが好ましく、３０ｖｏｌ％以上８０ｖｏｌ％以下であるのがより好ましい。これにより、太陽電池に到達する光量を十分に高いものとしつつ、ギャップ層９５の機能をより効果的に発揮させることができる。これに対し、ギャップ材９５１の含有率が低すぎると、ギャップ層９５の機能を確実に発揮させることが困難になる可能性がある。一方、ギャップ材９５１の含有率が高すぎると、時計用文字板１０の構成等によっては、太陽電池に到達する光量を十分に高いものとするのが困難となり、太陽電池における発電量を十分に確保するのが困難になる可能性がある。
【００２０】
ギャップ材９５１の構成材料は、特に限定されず、例えば、各種プラスチック、各種ガラス、各種セラミックス等が挙げられるが、ギャップ材９５１は、シリカで構成されたものであるのが好ましい。これにより、時計１００の美的外観を特に優れたものとすることができる。
図示の構成では、ギャップ層９５は、ギャップ材９５１が、固定相（分散媒）９５２により固定された構成を有している。このような構成を有することにより、ギャップ層９５を構成するギャップ材９５１を所望の部位に確実に配置させることができ、時計１００の信頼性を特に優れたものとすることができる。
【００２１】
固定相９５２は、いかなる材料で構成されたものであってもよいが、粘着剤で構成されたものであるのが好ましい。これにより、ギャップ層９５を構成するギャップ材９５１を所望の部位により確実に配置させることができる。また、粘着剤は、一般に、適度な弾性を有しているため、固定相９５２が粘着剤で構成されたものであることにより、ギャップ層９５（固定相９５２）がクッション層として機能し、太陽電池９４の損傷等をより確実に防止することができ、時計１００の信頼性を特に優れたものとすることができる。
【００２２】
また、本実施形態では、ギャップ層９５の外周には、シール部材９６が設けられており、これにより、ギャップ材９５１が封止されている。このような構成であることにより、ギャップ材９５１がギャップ層９５から脱落することをより確実に防止することができ、時計１００の信頼性を特に優れたものとすることができる。
シール部材９６は、いかなる材料で構成されたものであってもよいが、シール部材９６の構成材料としては、各種プラスチックを好適に用いることができる。
【００２３】
ギャップ層９５は、着色剤を含むものであるのが好ましい。これにより、時計１００の美的外観を特に優れたものとすることができる。
ギャップ層９５は、着色剤を含むものである場合、前記着色剤は、染料であるのが好ましい。これにより、時計１００の美的外観を、従来にない、特に優れたものとすることができる。特に、ギャップ層９５がギャップ材９５１としてシリカを含む場合、染料がシリカに吸着・保持され、特に優れた美的外観が得られる。
【００２４】
また、ギャップ層９５は、いかなる方法で形成されたものであってもよく、ギャップ層９５の形成方法としては、例えば、時計用文字板１０または太陽電池９４の面上にギャップ層９５形成用の組成物を印刷、塗装する方法、ディップによる方法、静電気を用いてばら撒く方法、ギャップ材９５１が液状の分散媒に分散した分散液を用いる方法等が挙げられるが、ギャップ層９５は、ギャップ材９５１が液状の分散媒に分散した分散液を用いて形成されたものであるのが好ましい。これにより、太陽電池９４の面上の各部位での時計用文字板１０と太陽電池９４とのギャップを、より均一性の高いものとすることができ、干渉模様の発生をより確実に防止することができる。また、太陽電池９４の故障・損傷をより生じにくいものとすることができる。また、時計１００の生産性を特に優れたものとすることができる。
なお、ギャップ層９５は、時計用文字板１０または太陽電池９４の面上に直接形成されたものでなくてもよく、別途作製されたフィルム状（シート状）の部材を時計用文字板１０と太陽電池９４との間に挟持することにより形成されたものであってもよい。
【００２５】
ガラス板８５は、通常、透明性の高い透明ガラスやサファイア等で構成されている。これにより、太陽電池９４に十分な光量の光を入射させることができる。
時計用文字板１０は、上述したように、光透過性を有するものである。時計用文字板１０は、全体として光透過性を有するものであればよく、光透過性のない材料で構成された部分を有するものであってもよい。例えば、時計用文字板１０は、光透過性を有する基板と、基板上の一部を覆うように設けられた金属膜とを有するものであってもよい。
【００２６】
時計用文字板１０は、通常、時字等の指標が配されており、時刻等の認識を容易にする機能を有するとともに、時計１００全体としての審美性にも大きな影響を与える部材である。
また、時計用文字板１０は、着色、印刷等が施されたものであってもよいし、入射した光が拡散、散乱するような処理が施されたものであってもよい。これにより、太陽電池９４の存在を目立ちにくいものとすることができ、時計１００全体としての審美性を特に優れたものとすることができる。
【００２７】
太陽電池９４は、光エネルギーを電気エネルギーに変換する機能を有する。そして、太陽電池９４で変換された電気エネルギーは、ムーブメント８１の駆動等に利用される。
太陽電池９４は、一般に、黒色、濃紫色等の濃色を呈するものである。このような濃色の太陽電池を備えた時計においては、従来、干渉模様の発生による時計全体の外観に与える悪影響の程度が特に大きいものであったが、本発明においては、このような濃色の太陽電池を備えるものであっても、干渉模様の発生等を確実に防止することができ、時計全体の外観に悪影響が及ぶことを確実に防止することができる。すなわち、太陽電池９４が、黒色、濃紫色等の濃色を呈するものである場合に、本発明の効果がより顕著に発揮される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００２８】
ムーブメント８１は、太陽電池９４の起電力を利用して、指針を駆動する。
図１中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント８１は、図示しない電波受信用のアンテナを備えている。そして、受信した電波を用いて時刻調整等を行う機能を有している。
【００２９】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００３０】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００３１】
上記のような携帯時計（腕時計）は、各種時計の中でも特に優れた耐久性（例えば、耐衝撃性等）が求められるものである。このため、優れた美的外観とともに、優れた耐久性が得られる時計用文字板１０を、より好適に適用することができる。
なお、上記の説明では、ソーラー時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計にも適用することができる。
【００３２】
以上、本発明の好適な実施形態について説明したが、本発明は、上記のようなものに限定されるものではない。
例えば、本発明の時計では、各部の構成は、同様の機能を発揮する任意の構成のものに置換することができ、また、任意の構成を付加することもできる。
また、前述した実施形態では、ギャップ層は、時計用文字板の一方の面および太陽電池の一方の面のそれぞれの全体と接触する構成について説明したが、ギャップ層は、時計用文字板の一方の面および太陽電池の一方の面の一部とのみ接触するようなものであってもよく、例えば、時計用文字板および太陽電池と、これらの外周付近において接触するようなリング状をなすものであってもよい。
【実施例】
【００３３】
次に、本発明の具体的実施例について説明する。
１．腕時計の製造
以下に示すような方法で、腕時計用文字板（ソーラー時計用文字板）を製造した。
（実施例１）
まず、着色剤としてのＣ．Ｉ．ピグメントイエロー１５０とポリカーボネートとを含む組成物を用いた、射出成形により、腕時計用文字板（ソーラー時計用文字板）の形状を有する母材を作製し、その後、必要箇所を型抜きし、不要なバリ等を切削、研磨することにより基板を得た。得られた基板は、略円盤状をなし、直径：２７ｍｍ×厚さ：３００μｍであった。
【００３４】
次に、この基板を洗浄した。基板の洗浄としては、まず、プラスチック用中性洗剤で３０秒間洗浄を行い、その後、中和を１０秒間、水洗を３０秒間、純水洗浄を６０秒間行った。その後、オーブン（８０℃）で２０分間乾燥した。
その後、必要箇所に、印刷により時字を形成することにより、腕時計用文字板を得た。
次に、腕時計用文字板の時字が配されている面とは反対側の面全体に、ギャップ層形成用の組成物（分散液）を、インクジェット法により付与した。ギャップ層形成用の組成物としては、ギャップ材（分散質）としての平均粒径（直径）：６μｍの球状のシリカの粉末と、粘着剤としてのアクリル系粘着剤と、芳香族ナフサを主成分とし、キシレン、エチルベンゼンを加えた溶剤と、染料としてのＣ．Ｉ．ダイレクトレッド２との混合物を用いた。
【００３５】
次に、腕時計用文字板のギャップ層形成用の組成物が付与された面側に、直径：２７ｍｍの太陽電池と重ね合わせ、その後、腕時計用文字板上に付与したギャップ層形成用の組成物から、芳香族ナフサを主成分とし、キシレン、エチルベンゼンを加えた溶剤を除去した。これにより、時計用文字板とギャップ層と太陽電池との積層体が得られた。前記積層体を構成するギャップ層は、平面視した際のギャップ材の存在密度（単位面積当たりの存在個数）が０．２７×１０６個／ｍｍ２であった。また、ギャップ層中におけるギャップ材の含有率は、５０．９ｖｏｌ％であった。また、ギャップ層中に含まれる染料としてのアゾ染料は、ギャップ材としてのシリカに吸着されていることが確認された。
次に、前記積層体の外周を、リング状をなしシリコーン樹脂で構成されたシール部材で被覆した。
その後、シール部材で外周を被覆された前記積層体を、ケース内に収納し、図１に示すような時計（ソーラー電波時計）を組み立てた。
【００３６】
（実施例２〜５）
ギャップ層が表１に示すような構成となるようにした以外は、前記実施例１と同様にして時計（ソーラー電波時計）を製造した。
（比較例１）
ギャップ層を設けることなく、腕時計用文字板および太陽電池をケース内に収納した以外は、前記実施例１と同様にして時計（ソーラー電波時計）を製造した。
前記各実施例について、ギャップ層の構成を表１にまとめて示した。
【００３７】
【表１】
2011163843.tif 000003
【００３８】
２．時計の外観評価
前記各実施例および比較例の時計（ソーラー電波時計）について、ガラス板（カバーガラス）を介して腕時計用文字板を観察した際の、これらの外観を以下の４段階の基準に従い、評価した。
Ａ：干渉模様が認められず、外観が優良である。
Ｂ：干渉模様が認められず、外観が良好である。
Ｃ：干渉模様が認められ、外観がやや不良である。
Ｄ：干渉模様が顕著に認められ、外観が不良である。
【００３９】
３．太陽電池の損傷評価
コンクリート上に厚さ１０ｍｍの樫板を固定したものに対し、前記各実施例および比較例の時計（ソーラー電波時計）を、高さ１ｍから、６方向（ガラス面、裏蓋、１２時、６時、３時、９時）を落下させた。６方向をワンセットとし、１０セット落下させることにより、繰り返し衝撃を与えた。その後、時計を分解し、太陽電池について観察を行い、以下の５段階の基準に従い、評価した。
【００４０】
Ａ：太陽電池に傷の発生が一切認められない。
Ｂ：太陽電池に傷の発生がほとんど認められない。
Ｃ：太陽電池に傷の発生がわずかに認められる。
Ｄ：太陽電池に傷の発生がはっきりと認められる。
Ｅ：太陽電池に傷の発生が顕著に認められる。
これらの結果を表２に示す。
【００４１】
【表２】
2011163843.tif 000004
【００４２】
表２から明らかなように、本発明の時計では、いずれも、干渉模様の発生が確実に防止され、優れた外観を呈するものであった。また、本発明の時計では、いずれも、繰り返し衝撃が与えられた後においても、太陽電池の損傷が生じにくいことが確認された。
これに対し、比較例の時計では、満足な結果が得られなかった。具体的には、比較例の時計では、干渉模様が発生しており、時計全体としての美的外観が著しく劣るものであった。また、比較例の時計では、繰り返し衝撃が与えられた後に、太陽電池に傷の発生が顕著に発生していた。このことから、比較例の時計は信頼性の低いものであるということができる。
【符号の説明】
【００４３】
１０…時計用文字板  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  ９４…太陽電池  ９５…ギャップ層  ９５１…ギャップ材  ９５２…固定相  ９６…シール部材  １００…腕時計（携帯時計）
【図１】
2011163843.tif 000005